(57)【要約】      （修正有）【課題】スライドフレームの第二レールに対する差動移動の偏差を修正可能であるスライドレールキットを提供する。【解決手段】スライドレールキットは第一レール２６、第二レール３０、スライドフレーム３６、プッシュ部材、及びアクチュエーターを有する。第二レール３０は第一レール２６に対して縦方向に移動可能である。スライドフレーム３６は第一レール２６にスライドするように取り付けられ、第二レール３０を積載する。スライドフレーム３６は第二レール３０の移動に従い、第二レール３０に対して差動するように移動する。プッシュ部材は第一レール２６に移動可能に連接されており、且つ水平位置と傾斜位置との間で移動可能である。アクチュエーター４０は第二レール３０に連接され、水平位置にあるプッシュ部材に対応する。【選択図】図３
0003197483.tif 000002
【実用新案登録請求の範囲】
【請求項１】
第一レール、第二レール、スライドフレーム、差動修正装置、およびアクチュエーターを備え、
前記第二レールは、縦方向に前記第一レールに対して閉位置と延長位置との間で移動可能である、
前記スライドフレームは、前記第一レールにスライドするように取り付けられており、前記第二レールを積載し、前記第二レールの移動に従い、前記第二レールに対して差動するようにスライド移動し、
前記差動修正装置は、前記第一レールに連接するベース、及び前記ベースに移動可能に連接するプッシュ部材を有し、前記プッシュ部材が、水平位置と傾斜位置との間で、移動可能であり、
前記アクチュエーターは、前記第二レールに連接されており、前記水平位置に位置する前記プッシュ部材に対応し、
前記スライドフレームの差動移動に偏差が生じると、前記第二レールの前記閉位置より前記延長位置への移動過程において、前記アクチュエーターは前記プッシュ部材を連動し、前記プッシュ部材は前記水平位置より前記傾斜位置へと移動し、前記プッシュ部材は同時に前記スライドフレームの移動を連動し、前記偏差を修正し、且つ前記アクチュエーターは、前記プッシュ部材が前記傾斜位置にある時、放出されることを特徴とするスライドレールキット。
【請求項２】
前記スライドフレームは、少なくとも１個のローラーにより、前記第二レールをさらに積載することを特徴とする請求項１に記載のスライドレールキット。
【請求項３】
前記ベースは、水平部、及び前記水平部に対して傾斜を呈する傾斜部をさらに有し、
前記プッシュ部材は、前記水平部と前記傾斜部との間で移動することを特徴とする請求項１に記載のスライドレールキット。
【請求項４】
前記プッシュ部材は、少なくとも１個の接触部をさらに有し、
前記少なくとも１個の接触部は、前記プッシュ部材が前記ベースに対して移動する時、前記ベースの前記水平部および前記傾斜部の内のいずれかに接触することを特徴とする請求項３に記載のスライドレールキット。
【請求項５】
引き出しを有する引き出し本体に用いられるスライドレールキットであって、
第一レール、第二レール、第三レール、スライドフレーム、差動修正装置、および、アクチュエーターを備え、
前記第一レールは、前記引き出し本体に取り付けられており、
前記第二レールは、前記第一レールと前記第三レールとの間に、移動可能に取り付けられており、前記第二レールは、前記第一レールに対して、閉位置と延長位置との間で縦方向に移動し、
前記第三レールは、前記引き出しを積載し、
前記スライドフレームは、前記第一レールにスライドするように取り付けられており、前記第二レールを積載し、
前記スライドフレームは、前記第二レールの移動に従い、前記第二レールに対して差動するように移動し、
前記差動修正装置は、前記第一レールに連接するベース、及び前記ベースに移動可能に連接するプッシュ部材を有し、前記プッシュ部材は、水平位置と傾斜位置との間で、移動でき、
前記アクチュエーターは、前記第二レールに連接され、前記水平位置にある前記プッシュ部材に対応し、
前記スライドフレームの差動移動に偏差が生じると、前記第二レールの前記閉位置より前記延長位置への移動過程において、前記アクチュエーターは前記プッシュ部材を連動し、これにより前記プッシュ部材は前記水平位置より前記傾斜位置へと移動し、前記プッシュ部材は同時に前記スライドフレームの移動を連動し、前記偏差を修正し、且つ前記アクチュエーターは、前記プッシュ部材が前記傾斜位置にある時、放出されることを特徴とするスライドレールキット。
【請求項６】
前記スライドフレームは、少なくとも１個のローラーにより、前記第二レールをさらに積載することを特徴とする請求項５に記載のスライドレールキット。
【請求項７】
前記ベースは、水平部、及び前記水平部に対して傾斜を呈する傾斜部をさらに有し、
前記プッシュ部材は、前記水平部と前記傾斜部との間で、移動可能であることを特徴とする請求項５に記載のスライドレールキット。
【請求項８】
前記プッシュ部材は、少なくとも１個の接触部をさらに有し、
前記少なくとも１個の接触部は、前記プッシュ部材が前記ベースに対して移動する時、前記ベースの前記水平部および前記傾斜部のうちのいずれかに接触することを特徴とする請求項７に記載のスライドレールキット。
【請求項９】
第一レール、第二レール、スライドフレーム、プッシュ部材、およびアクチュエーターを備え、
前記第二レールは、縦方向に前記第一レールに対して閉位置と延長位置との間で移動可能であり、
前記スライドフレームは、前記第一レールにスライドするように取り付けられており、前記第二レールを積載し、前記第二レールの移動に従い、前記第二レールに対して差動するように移動し、
前記プッシュ部材は、前記第一レールに移動可能に連接されており、且つ水平位置と傾斜位置との間で、移動可能であり、
前記アクチュエーターは、前記第二レールに連接されており、前記水平位置に位置する前記プッシュ部材に対応し、
前記スライドフレームの差動移動に偏差が生じると、前記第二レールの前記閉位置より前記延長位置への移動過程において、前記アクチュエーターは前記プッシュ部材を連動し、これにより前記プッシュ部材は前記水平位置より前記傾斜位置へと移動し、前記プッシュ部材は同時に前記スライドフレームの移動を連動し、前記偏差を修正し、且つ前記アクチュエーターは、前記プッシュ部材が前記傾斜位置にある時、放出されることを特徴とするスライドレールキット。
【請求項１０】
前記第一レールは、水平部、及び前記水平部に対して傾斜を呈する傾斜部を有し、
前記プッシュ部材は、前記水平部と前記傾斜部との間で、移動可能であることを特徴とする請求項９に記載のスライドレールキット。
【考案の詳細な説明】
【技術分野】
【０００１】
本考案はスライドレールキットに関する。
【背景技術】
【０００２】
一般的に言えば、スライドレールキットは引き出し或いは類似物に取り付けられる。
スライドレールキットは通常、第一レール、第一レールに対して縦方向に移動する第二レール、及びスライドフレームを有する。
スライドフレームは、第一レールと第二レールとの間に取り付けられ、第二レールを積載し、且つ第二レールの第一レールに対する移動を助ける。
第二レールが第一レールに対して移動すると、スライドフレームは第二レールに対して特定比率の差動移動を保持することができる。
【０００３】
しかしながら、この差動移動は、いつまでも保証され続けられるものではない。
すなわち、スライドフレームは第二レールの差動移動に対して、偏差の問題を生じる可能性がある。
【０００４】
特許文献１に開示された構造、及びその図式に示す引き出しに用いるプルガイドレールキットは、サポートレール１、プルレール２、サポートレール１とプルレール２との間に移動可能に取り付けられているスライドフレーム３を有し、前末端位置と後末端位置との間で、プルレール２に対して差動するようにスライド移動する。
スライドフレーム３には、制動装置を取り付けられ、制動装置により、スライドフレーム３のこれらレール部材に対する差動スライド移動の偏差を修正することができる。
【先行技術文献】
【特許文献】
【０００５】
【特許文献１】米国特許第ＵＳ７３０９１１５Ｂ２号明細書
【考案の概要】
【考案が解決しようとする課題】
【０００６】
本考案の目的は、スライドレールキットの第一レールに差動修正装置を連接し、差動修正装置によりスライドフレームの第二レールに対する差動移動の偏差を修正するスライドレールキットを提供することにある。
【課題を解決するための手段】
【０００７】
本考案によるスライドレールキットは、第一レール、第二レール、スライドフレーム、差動修正装置、及びアクチュエーターを備える。
第二レールは、縦方向に第一レールに対して閉位置と延長位置との間で移動することができる。
スライドフレームは、第一レールにスライドするように取り付けられ、第二レールを積載する。
スライドフレームは、第二レールの移動に従い、第二レールに対して差動（ｄｉｆｆｅｒｅｎｔｉａｌｌｙ）するようにスライド移動する。
差動修正装置は、第一レールに連接するベース、及びベースに移動可能に連接するプッシュ部材を有する。
プッシュ部材は、水平位置と傾斜位置との間で、移動することができる。
アクチュエーターは、第二レールに連接され、水平位置にあるプッシュ部材に対応する。
スライドフレームの差動移動に偏差が生じると、第二レールの閉位置より延長位置への移動過程において、アクチュエーターはプッシュ部材を連動し、これによりプッシュ部材は水平位置より傾斜位置へと移動し、プッシュ部材は同時にスライドフレームの移動を連動し、偏差を修正する。
且つアクチュエーターは、プッシュ部材が傾斜位置にある時、放出される。
【０００８】
最も好ましくは、スライドフレームは少なくとも１個のローラーにより第二レールをさらに積載する。
【０００９】
最も好ましくは、ベースは、水平部、及び水平部に対して傾斜を呈する傾斜部をさらに有し、プッシュ部材は、水平部と傾斜部との間で移動可能である。
プッシュ部材は、少なくとも１個の接触部をさらに有し、少なくとも１個の接触部は、プッシュ部材がベースに対して移動する時、ベースの水平部と傾斜部の内のいずれかに接触する。
【００１０】
また、本考案によるスライドレールキットは、引き出しを有する引き出し本体に用いられるスライドレールキットであり、第一レール、第二レール、第三レール、スライドフレーム、差動修正装置、及びアクチュエーターを備える。
第一レールは、引き出し本体に取り付けられる。
第二レールは、第一レールと第三レールとの間に、移動可能に取り付けられている。
第二レールは、第一レールに対して、閉位置と延長位置との間で縦方向に移動し、第三レールは、引き出しを積載する。
スライドフレームは、第一レールにスライドするように取り付けられ、第二レールを積載する。
スライドフレームは、第二レールの移動に従い、第二レールに対して差動するように移動する。
差動修正装置は、第一レールに連接するベース、及びベースに移動可能に連接するプッシュ部材を有する。
プッシュ部材は、水平位置と傾斜位置との間で、移動することができる。
アクチュエーターは、第二レールに連接され、水平位置にあるプッシュ部材に対応する。
スライドフレームの差動移動に偏差が生じると、第二レールの閉位置より延長位置への移動過程において、アクチュエーターはプッシュ部材を連動し、これによりプッシュ部材は水平位置より傾斜位置へと移動し、プッシュ部材は同時にスライドフレームの移動を連動し、偏差を修正する。
且つアクチュエーターは、プッシュ部材が傾斜位置にある時、放出される。
【００１１】
本考案によるもう一つのスライドレールキットは、第一レール、第二レール、スライドフレーム、プッシュ部材、及びアクチュエーターを備える。
第二レールは、縦方向に第一レールに対して閉位置と延長位置との間で移動することができる。
スライドフレームは、第一レールにスライドするように取り付けられ、第二レールを積載する。
スライドフレームは、第二レールの移動に従い、第二レールに対して差動するように移動する。
プッシュ部材は、第一レールに移動可能に連接されており、且つ水平位置と傾斜位置との間で、移動することができる。
アクチュエーターは、第二レールに連接され、水平位置にあるプッシュ部材に対応する。
スライドフレームの差動移動に偏差が生じると、第二レールの閉位置より延長位置への移動過程において、アクチュエーターはプッシュ部材を連動し、これによりプッシュ部材は水平位置より傾斜位置へと移動し、プッシュ部材は同時にスライドフレームの移動を連動し、偏差を修正する。
且つアクチュエーターは、プッシュ部材が傾斜位置にある時、放出される。
【００１２】
最も好ましくは、第一レールは、水平部、及び水平部に対して傾斜を呈する傾斜部を有する。
プッシュ部材は、水平部と傾斜部との間で、移動することができる。
【００１３】
本考案の実施形態を応用する特徴の一つは、スライドフレームが第二レールに対して差動移動し偏差を生じると、第一レールに位置する差動修正装置により偏差を修正することができる。
【図面の簡単な説明】
【００１４】
【図１】本考案の一実施形態によるスライドレールキットを引き出し本体の引き出しに運用する状態を示す斜視図である。
【図２】本考案の一実施形態によるスライドレールキットが延長されて展開する状態を示す斜視図である。
【図３】本考案の一実施形態によるスライドレールキットの分解斜視図である。
【図４】本考案の一実施形態によるスライドレールキットの側面模式図である。
【図５】本考案の一実施形態によるプッシュ部材と第一レールに位置するベースの斜視図である。
【図６Ａ】本考案の一実施形態によるプッシュ部材がベースに対して水平位置にある状態を示した模式図である。
【図６Ｂ】本考案の一実施形態によるプッシュ部材がベースに対して傾斜位置にあり、ある角度の偏移をなす状態を示した模式図ある。
【図７Ａ】本考案の一実施形態によるプッシュ部材がベースに対して傾斜位置にあり、且つスライドフレームの差動移動が正常状態である時、第二レールが第一レールに対して閉位置より延長位置の方向へと移動する状態を示した模式図（一）である。
【図７Ｂ】本考案の一実施形態によるプッシュ部材がベースに対して傾斜位置にあり、且つスライドフレームの差動移動が正常状態である時、第二レールが第一レールに対して閉位置より延長位置の方向へと移動する状態を示した模式図（二）である。
【図７Ｃ】本考案の一実施形態によるプッシュ部材がベースに対して傾斜位置にあり、且つスライドフレームの差動移動が正常状態である時、第二レールが第一レールに対して閉位置より延長位置の方向へと移動する状態を示した模式図（三）である。
【図８Ａ】本考案の一実施形態によるプッシュ部材がベースに対して傾斜位置にあり、且つスライドフレームの差動移動が正常状態である時、第二レールが第一レールに対して延長位置より閉位置の方向へと移動する状態を示した模式図（一）である。
【図８Ｂ】本考案の一実施形態によるプッシュ部材がベースに対して傾斜位置にあり、且つスライドフレームの差動移動が正常状態である時、第二レールが第一レールに対して延長位置より閉位置の方向へと移動する状態を示した模式図（二）である。
【図８Ｃ】本考案の一実施形態によるプッシュ部材がベースに対して傾斜位置にあり、且つスライドフレームの差動移動が正常状態である時、第二レールが第一レールに対して延長位置より閉位置の方向へと移動する状態を示した模式図（三）である。
【図９Ａ】本考案の一実施形態によるプッシュ部材がベースに対して傾斜位置にあり、且つスライドフレームの差動移動が異常状態である時、第二レールが第一レールに対して延長位置より閉位置の方向へと移動しようとしている状態を示した模式図である。
【図９Ｂ】本考案の一実施形態によるプッシュ部材がベースに対して傾斜位置にあり、且つスライドフレームの差動移動が異常状態である時、第二レールが第一レールに対して延長位置より閉位置の方向へと移動する状態を示した模式図である。
【図９Ｃ】本考案の一実施形態によるプッシュ部材がベースに対して傾斜位置にあり、且つスライドフレームの差動移動が異常状態である時、第二レールが第一レールに対して延長位置より閉位置の方向へと移動し、且つスライドフレームがプッシュ部材に衝突する状態を示した模式図である。
【図９Ｄ】本考案の一実施形態によるスライドフレームの差動移動が異常状態である時、第二レールが第一レールに対して延長位置より閉位置の方向へと移動し、且つスライドフレームがプッシュ部材を押して水平位置まで移動させる状態を示した模式図である。
【図１０Ａ】本考案の一実施形態によるスライドフレームの差動移動が異常状態である時、アクチュエーターが水平位置にあるプッシュ部材に対応する状態を示した模式図である。
【図１０Ｂ】本考案の一実施形態によるスライドフレームの差動移動が異常状態である時、アクチュエーターがプッシュ部材を水平位置より傾斜位置まで連動し、これによりプッシュ部材がスライドフレームの差動移動の偏差を修正する状態を示した模式図である。
【図１０Ｃ】本考案の一実施形態によるプッシュ部材がスライドフレームの差動移動の偏差を修正した後、スライドフレームが第二レールに対して正常な差動移動を保持する状態を示した模式図である。
【図１１Ａ】本考案の一実施形態によるプッシュ部材がベースに対して水平位置にあり、且つスライドフレームの差動移動が正常状態である時、第二レールが第一レールに対して閉状態にあることを示した模式図である。
【図１１Ｂ】本考案の一実施形態によるプッシュ部材がベースに対して水平位置にあり、且つスライドフレームの差動移動が正常状態である時、第二レールが第一レールに対して閉位置より延長位置の方向へと移動し、且つアクチュエーターがプッシュ部材に対応する状態を示した模式図である。
【図１１Ｃ】本考案の一実施形態によるスライドフレームの差動移動が正常状態である時、第二レールが第一レールに対して閉位置より延長位置の方向へと移動し、且つアクチュエーターがプッシュ部材を傾斜位置まで連動する状態を示した模式図である。
【図１１Ｄ】本考案の一実施形態によるスライドフレームの差動移動が正常状態である時、第二レールが第一レールに対して閉位置より延長位置の方向へと移動し、且つプッシュ部材が傾斜位置においてアクチュエーターに放出される状態を示した模式図である。
【図１２Ａ】本考案の一実施形態によるプッシュ部材がベースに対して水平位置にあり、且つスライドフレームの差動移動が正常状態である時、第二レールが第一レールに対して延長位置より閉位置へと移動する状態を示した模式図である。
【図１２Ｂ】本考案の一実施形態によるプッシュ部材がベースに対して水平位置にあり、且つスライドフレームの差動移動が正常状態である時、第二レールが第一レールに対して延長位置より閉位置へと移動し、且つアクチュエーターがプッシュ部材のアーム部を押圧する状態を示した模式図である。
【図１２Ｃ】本考案の一実施形態によるプッシュ部材がベースに対して水平位置にあり、且つスライドフレームの差動移動が正常状態である時、第二レールが第一レールに対して延長位置より閉位置へと移動し、これによりアクチュエーターがプッシュ部材に対応する状態を示した模式図である。
【図１３Ａ】本考案の他の実施形態による差動修正装置の模式図であり、プッシュ部材が第一レールの水平部において水平位置にある状態を示す。
【図１３Ｂ】本考案の他の実施形態による差動修正装置の模式図であり、プッシュ部材がアクチュエーターにより連動され、スライドフレームに接触する状態を示す。
【図１３Ｃ】本考案の他の実施形態による差動修正装置の模式図であり、プッシュ部材がアクチュエーターにより第一レールの傾斜部まで連動され傾斜位置にあり、且つプッシュ部材がこれによりスライドフレームをプッシュしスライドフレームの差動移動の偏差を修正する状態を示す。
【考案を実施するための形態】
【００１５】
（一実施形態）
図１は、本考案の一実施形態によるスライドレールキット２０が、引き出し本体２２に運用されることを示す。
【００１６】
引き出し本体２２は、引き出し２４を有する。
引き出し２４は、スライドレールキット２０により引き出し本体２２内へと閉められ、或いは引き出し本体２２内より引き出される。
【００１７】
図２は、本考案の一実施形態によるスライドレールキット２０の延長展開の状態を示す。
【００１８】
スライドレールキット２０は、取り付け部２８により引き出し本体２２に取り付けられる第一レール２６、第二レール３０及び第三レール３２を有する。
第二レール３０と第三レール３２は、縦方向に第一レール２６に対して移動する。
第二レール３０は、第一レール２６と第三レール３２との間に、移動可能に取り付けられている。
第三レール３２は、引き出し２４を積載する。
【００１９】
差動修正装置３４は、第一レール２６に連接する。
ここでは、差動修正装置３４が第一レール２６に隣り合う端部に連接されるが、これに制限されない。
差動修正装置３４は、第一レール２６に連接されるため、差動修正装置３４は、第一レール２６の一部分と見做される。
【００２０】
図３と図４は、第一レール２６、第二レール３０、及び第三レール３２の分解状態と組み立て状態をそれぞれ示す。
【００２１】
スライドフレーム３６は、第一レール２６にスライドするように取り付けられ、第二レール３０を積載する。
スライドフレーム３６は、少なくとも１個のローラー３８（或いはローリングボール）を有し、第二レール３０を積載し、第二レール３０の第一レール２６に対する移動を助ける。
【００２２】
アクチュエーター４０は、第二レール３０に連接される。
アクチュエーター４０は、凸出物或いは棒状物であるが、これに制限されない。
スライドフレーム３６が第二レール３０に対して差動移動し偏差を生じると、アクチュエーター４０により差動修正装置３４の一部分を連動する。
これにより、差動修正装置３４のその部分は、スライドフレーム３６の偏差を修正することができる（詳細は後述する）。
【００２３】
図５に示すとおり、差動修正装置３４は、第一レール２６に連接(取り付けられ）かつ定位される、或いは第一レール２６に一体成形されるベース４２、及びベース４２に移動可能に連接されているプッシュ部材４４を有する。
【００２４】
最も好ましくは、ベース４２は、水平部４６（水平部４６の延長方向は第一レール２６の長さ方向に同じ）、水平部４６に対して一角度の傾斜を呈する傾斜部４８、及びベース４２のもう一つの側（水平部４６とは異なる側）に位置する係止壁４９を有する。
【００２５】
最も好ましくは、プッシュ部材４４は、少なくとも１個の接触部を有する。
ここでは、第一接触部５０ａと第二接触部５０ｂを例とする。
係止部５１は、ベース４２の係止壁４９に遮られる。
アーム部５３は、プッシュ部材４４に弾力によって連接される。
【００２６】
図６Ａと図６Ｂに示すとおり、プッシュ部材４４がベース４２に対して水平位置（第一位置）Ｐ１にある時、プッシュ部材４４の第一接触部５０ａと第二接触部５０ｂとは接触し、且つベース４２の水平部４６に位置する。
【００２７】
プッシュ部材４４がベース４２に対して水平位置Ｐ１より傾斜位置（第二位置）Ｐ２まで移動すると、プッシュ部材４４の第一接触部５０ａと第二接触部５０ｂとはそれぞれ接触し、且つベース４２の水平部４６と傾斜部４８に位置する。
これにより、プッシュ部材４４はベース４２に対して一角度Θの偏移を行う。
傾斜位置Ｐ２にある時、プッシュ部材４４は、係止部５１によりベース４２の係止壁４９において遮られ、プッシュ部材４４を傾斜位置Ｐ２に制限する。
【００２８】
図７Ａ〜図７Ｃに示すとおり、プッシュ部材４４はベース４２に対して、傾斜位置Ｐ２に位置する。
且つ正常状態下では、第二レール３０（図７Ａ〜図７Ｃは、アクチュエーター４０により第二レール３０の第一レール２６に対する可動位置を示す）が縦方向に第一レール２６に対する、閉位置より第一方向Ｄ１へ向う延長位置への移動過程において、スライドフレーム３６が第二レール（アクチュエーター４０）の移動に従い、第二レール（アクチュエーター４０）に対して正常な差動（ｄｉｆｆｅｒｅｎｔｉａｌｌｙ）スライド移動を保持する。
【００２９】
例を挙げれば、第二レール（アクチュエーター４０）が第一方向Ｄ１へとある行程の移動を行うと、スライドフレーム３６は同期且つ正確に、第二レール（アクチュエーター４０）の特定比率の行程（例えば、半分の行程）を進む。
また、プッシュ部材４４が傾斜位置Ｐ２にある時、アクチュエーター４０はプッシュ部材４４の一部位（例えば、アーム部５３）に未対応である。
これにより、第二レールは第一レール２６に対して閉位置より延長位置へ向う移動過程において、アクチュエーター４０はプッシュ部材４４を連動することができない。
【００３０】
図８Ａ〜図８Ｃは、プッシュ部材４４がベース４２に対して傾斜位置Ｐ２にあることを示す。
【００３１】
正常状態下では、第二レール３０（図８Ａ〜図８Ｃは、アクチュエーター４０により、第二レール３０が第一レール２６に対して可動位置にあることを示す）が縦方向に第一レール２６に対して延長位置より第二方向Ｄ２へ閉位置に向う閉過程において、スライドフレーム３６は、第二レール（アクチュエーター４０）に対して正常な差動移動を保持する。
【００３２】
しかしながら、第二レール（アクチュエーター４０）は、第一レール２６に対して、第一方向Ｄ１或いは第二方向Ｄ２において、何度も行ったり来たりの移動を行った後、ローラーとスライドレールとの間のスライド移動差速或いは他の外的要因の影響を受け、スライドフレーム３６の第二レール（アクチュエーター４０）に対する特定比率の差動移動は、いつまでも保証されるものではなく、スライドフレーム３６の第二レール（アクチュエーター４０）に対する差動移動の異常状態が、発生する可能性がある。
【００３３】
図９Ａ〜図９Ｄに示すとおり、プッシュ部材４４はベース４２に対して、傾斜位置Ｐ２に位置する。
且つ異常状態発生時には、スライドフレーム３６の第二レール（アクチュエーター４０）に対する差動移動に偏差が発生し、これによりスライドフレーム３６の第二レール（アクチュエーター４０）に対する差動移動時の位置に偏差が生じる。
こうして、スライドフレーム３６は、所定の特定比率に基づき、第二レール（アクチュエーター４０）に対して移動することができなくなる。
【００３４】
よって、この偏差状態において、第二レール（アクチュエーター４０）の第一レール２６に対する延長位置より第二方向Ｄ２へ向う閉過程において、スライドフレーム３６はプッシュ部材４４にぶつかる（図９Ｃ参照）。
第二レール（アクチュエーター４０）が第一レール２６に対して第二方向Ｄ２へと閉位置に向かいさらに閉まると、プッシュ部材４４はスライドフレーム３６に連動される。
これにより、プッシュ部材４４の第二接触部５０ｂは、ベース４２の傾斜部４８を離脱し、ベース４２の水平部４６へと移動する。
こうして、プッシュ部材４４はベース４２に対して、傾斜位置Ｐ２より水平位置Ｐ１へと移動する（図９Ｄ参照）。
【００３５】
図１０Ａ〜図１０Ｃに示すとおり、プッシュ部材４４はベース４２に対して水平位置Ｐ１に位置する。
且つアクチュエーター４０は、水平位置Ｐ１のプッシュ部材４４のアーム部５３に対応して位置する。
異常状態を解除するには、第二レール（アクチュエーター４０）が第一レール２６に対して閉位置より第一方向Ｄ１へと延長位置へ向う移動過程において、アクチュエーター４０はプッシュ部材４４との対応関係に基づき、アーム部５３をプッシュできることにより、アーム部５３はプッシュ部材４４を連動し、こうしてプッシュ部材４４はベース４２に対して、水平位置Ｐ１より傾斜位置Ｐ２へと移動し、スライドフレーム３６を連動する。
【００３６】
これにより、スライドフレーム３６は、プッシュ部材４４により連動され、正常に第二レール（アクチュエーター４０）に対して差動移動可能な予定位置まで移動（例えば図１０Ｂ）する。
こうして、スライドフレーム３６の第二レール（アクチュエーター４０）に対する差動移動の偏差を完全に修正することができる。
【００３７】
第二レール（アクチュエーター４０）が第一レール２６に対して、さらに第一方向Ｄ１へと移動すると、プッシュ部材４４は既に傾斜位置Ｐ２にあるため、アクチュエーター４０は、プッシュ部材４４のアーム部５３に対応せず、アクチュエーター４０は傾斜位置Ｐ２においてプッシュ部材４４を放出し、プッシュ部材４４を継続して連動することはできない。
一方では、スライドフレーム３６は、第二レール（アクチュエーター４０）に対して、正常な差動移動を再度保持することができる。
【００３８】
図１１Ａ〜図１１Ｄに示すとおり、スライドフレーム３６の差動移動が正常な状態にあり、第二レール３０（図１１Ａ〜図１１Ｄでは、アクチュエーター４０のみを示し、第二レール３０の第一レール２６に対する位置を表示する）が第一レール２６に対して、閉位置より第一方向Ｄ１へと移動する過程において、スライドフレーム３６は第二レール（アクチュエーター４０）に対して、正常に差動するよう移動する。
【００３９】
プッシュ部材４４がベース４２に対して、水平位置Ｐ１にある時、アクチュエーター４０は移動の過程において、プッシュ部材４４を、水平位置Ｐ１から傾斜位置Ｐ２へと連動する。
且つスライドフレーム３６は既に、第一方向Ｄ１に向い、同期に第二レール（アクチュエーター４０）に従い、ある距離の正常な差動移動を行っているため、プッシュ部材４４が傾斜位置Ｐ２にある時には、スライドフレーム３６を連動することができない（即ち、スライドフレーム３６の差動移動はプッシュ部材４４により修正されない）。
【００４０】
図１２Ａ〜図１２Ｃは、プッシュ部材４４が外的要因、或いは故意でない要因により、自らベース４２に対して水平位置Ｐ１にある状態を示す。
この状況では、第二レール３０（図１２Ａ〜図１２Ｃでは、アクチュエーター４０のみを示し、第二レール３０の第一レール２６に対する可動位置を表示する）が第一レール２６に対して、延長位置より第二方向Ｄ２へと移動する時、アクチュエーター４０によりプッシュ部材４４のアーム部５３を押圧し、これによりアーム部５３は弾性で湾曲（図１２Ｂ参照）する。
これにより、アクチュエーター４０がアーム部５３を越えた後（図１２Ｃ参照）、アクチュエーター４０は再びプッシュ部材４４のアーム部５３に対応する。
【００４１】
（他の実施形態）
図１３Ａ〜図１３Ｃは、本考案の他の実施形態による差動修正装置３００の実施型態を示す。
【００４２】
本実施形態の差動修正装置３００と前記実施形態との差異は、第一レール２６に、水平部３０２、及び傾斜部３０４を直接成形する点である。
一方では、プッシュ部材３０６が移動する時、少なくとも１個の接触部（例えば、第一接触部３０８と第二接触部３１０）により、水平部３０２、及び傾斜部３０４の内のいずれかに接触する。
スライドフレーム３１２の差動移動に偏差が生じると、第二レール（アクチュエーター３１４）が閉位置より第一方向Ｄ１へ向い延長位置へと移動する過程において、アクチュエーター３１４がプッシュ部材３０６を連動することで、プッシュ部材３０６は水平位置Ｐ１から傾斜位置Ｐ２へと移動し、スライドフレーム３１２を連動する。
こうして、スライドフレーム３１２の差動移動の偏差を修正し、且つアクチュエーター３１４は傾斜位置Ｐ２においてプッシュ部材３０６を放出する。
【００４３】
前述した本考案の実施形態は本考案を限定するものではなく、よって、本考案により保護される範囲は実用新案登録請求の範囲を基準とする。
【符号の説明】
【００４４】
２０  スライドレールキット、
２２  引き出し本体、
２４  引き出し、
２６  第一レール、
２８  取り付け部、
３０  第二レール、
３２  第三レール、
３４、３００  差動修正装置、
３６、３１２  スライドフレーム、
３８  ローラー、
４０、３１４  アクチュエーター、
４２  ベース、
４４、３０６  プッシュ部材、
４６、３０２  水平部、
４８、３０４  傾斜部、
４９  係止壁、
５０ａ、３０８  第一接触部、
５０ｂ、３１０  第二接触部、
５１  係止部、
５３  アーム部、
Ｄ１  第一方向、
Ｄ２  第二方向、
Ｐ１  水平位置、
Ｐ２  傾斜位置、
Θ  角度。
【図１】
0003197483.tif 000003
【図２】
0003197483.tif 000004
【図３】
0003197483.tif 000005
【図４】
0003197483.tif 000006
【図５】
0003197483.tif 000007
【図６Ａ】
0003197483.tif 000008
【図６Ｂ】
0003197483.tif 000009
【図７Ａ】
0003197483.tif 000010
【図７Ｂ】
0003197483.tif 000011
【図７Ｃ】
0003197483.tif 000012
【図８Ａ】
0003197483.tif 000013
【図８Ｂ】
0003197483.tif 000014
【図８Ｃ】
0003197483.tif 000015
【図９Ａ】
0003197483.tif 000016
【図９Ｂ】
0003197483.tif 000017
【図９Ｃ】
0003197483.tif 000018
【図９Ｄ】
0003197483.tif 000019
【図１０Ａ】
0003197483.tif 000020
【図１０Ｂ】
0003197483.tif 000021
【図１０Ｃ】
0003197483.tif 000022
【図１１Ａ】
0003197483.tif 000023
【図１１Ｂ】
0003197483.tif 000024
【図１１Ｃ】
0003197483.tif 000025
【図１１Ｄ】
0003197483.tif 000026
【図１２Ａ】
0003197483.tif 000027
【図１２Ｂ】
0003197483.tif 000028
【図１２Ｃ】
0003197483.tif 000029
【図１３Ａ】
0003197483.tif 000030
【図１３Ｂ】
0003197483.tif 000031
【図１３Ｃ】
0003197483.tif 000032